(57)【特許請求の範囲】
【請求項１】
発電ユニットで発生する発電熱で水を加熱し、加熱した温水を貯湯しておき、貯湯しておいた温水を利用して給湯し、貯湯しておいた温水を利用して熱媒を加熱することが可能なコージェネレーションシステムであって、
温水を貯える貯湯タンクと、
貯湯タンクの下部に貯えられている温水を発電ユニットに送り、発電熱によって加熱された温水を貯湯タンクの上部に戻す発電熱回収手段と、
温水を加熱する熱源機と、
貯湯タンクに貯えられている温水を熱源機に送る温水往路と、
熱源機で加熱された温水を貯湯タンクの上部に戻す第１温水復路と、
貯湯タンクの上部から温水利用箇所へ温水を供給する給湯手段と、
第１温水復路を通る温水と熱媒との間で熱交換する熱交換器と、
熱交換器より下流で第１温水復路を通る温水の温度を検出する温度センサと、
温度センサより下流で第１温水復路から分岐しており、貯湯タンクを通さずに温水往路に温水を導く第２温水復路と、
温度センサより下流で第１温水復路から分岐しており、貯湯タンクの下部に温水を導く第３温水復路と、
熱交換器を経由した温水の流路を、第１温水復路を経由して貯湯タンクの上部へ流入する第１の流路と、第２温水復路を経由して温水往路へ流入する第２の流路と、第３温水復路を経由して貯湯タンクの下部へ流入する第３の流路の何れかに切換える切換え手段を備えており、
その切換え手段は、温度センサで検出される温度が第１所定温度より高い場合に第１の流路に切換え、温度センサで検出される温度が第１所定温度より低く第２所定温度より高い場合に第２の流路に切換え、温度センサで検出される温度が第２所定温度より低い場合に第３の流路に切換えることを特徴とするコージェネレーションシステム。
【請求項２】
前記熱媒が暖房端末機と熱交換器の間で循環することを特徴とする請求項１のコージェネレーションシステム。
【請求項３】
風呂の浴槽から送り出される温水と熱媒の間で熱交換する追焚き用熱交換器をさらに備え、
前記熱媒が熱交換器と追焚き用熱交換器の間で循環することを特徴とする請求項１又は２のコージェネレーションシステム。
【発明の詳細な説明】
【技術分野】
【０００１】
本発明は、発電熱で加熱した温水を貯湯タンクに貯湯しておき、貯湯タンクに貯湯しておいた温水を利用して給湯し、さらに、貯湯タンクに貯湯しておいた温水を利用して熱媒を加熱して暖房や風呂の追焚き等を行うコージェネレーションシステムに関する。特に、貯湯タンクの温水を必要に応じて熱源機で加熱し、熱源機で加熱した温水を給湯やそれ以外の用途（暖房や風呂の追焚き等）に利用するコージェネレーションシステムに関する。
【背景技術】
【０００２】
発電熱で加熱した温水を貯湯しておいて給湯するコージェネレーションシステムが知られている。発電熱で加熱した温水は貯湯タンクに貯湯される。給湯運転時に温水利用箇所で必要とする温水温度（給湯設定温度）よりも高温の温水が貯湯タンクに貯湯されていれば、貯湯タンクから送り出される温水と水道水（冷水）を混合手段で混合することによって必要温度に冷却して給湯する（非燃焼給湯運転）。温水利用箇所で必要とする温水温度（給湯設定温度）よりも低温の温水が貯湯タンクに貯湯されていれば、熱源機等で加熱して給湯する（燃焼給湯運転）必要があるが、水道水（冷水）を熱源機等で加熱して給湯するときに比して必要な熱量は少なくてすむ。コージェネレーションシステムは、総合的なエネルギー効率が高い。
【０００３】
上記のコージェネレーションシステムでは、貯湯タンクに貯湯されている温水を給湯に利用するだけでなく、貯湯タンクに貯湯されている熱量を暖房や風呂の追焚きなどに利用することもできる。発電ユニットから貯湯タンクに回収された発電熱の用途を増やすことで、総合的なエネルギー効率がさらに向上する。このようなコージェネレーションシステムが、例えば特許文献１から３に記載されている。
【０００４】
【特許文献１】特開２００４−３６１０２８号公報
【特許文献２】特開２００１−３０４６８８号公報
【特許文献３】特開２００４−３４０４８３号公報
【発明の開示】
【発明が解決しようとする課題】
【０００５】
発電ユニットの種類や大きさによっては、貯湯タンクに貯えられている温水の温度が、暖房や風呂の追い焚き等で必要とされる温水の温度よりも低い場合がある。例えば、一般的な固体高分子型の燃料電池を用いたコージェネレーションシステムの場合、発電熱を回収した温水の温度は６０℃程度であり、暖房や風呂の追い焚き等に利用するには不十分な温度である。このような場合には、燃焼給湯運転で利用する熱源機を利用し、貯湯タンクに貯えられている温水を加熱し、加熱された温水を暖房や風呂の追焚きに利用する必要がある。
【０００６】
給湯とそれ以外の用途（暖房、風呂の追焚き等）に共通の熱源機を利用する場合、貯湯タンクに貯えられている温水を熱源機で加熱し、熱源機で加熱した温水と熱交換して熱媒を加熱し、熱媒と熱交換した温水を貯湯タンクの上部へ戻す構成とすることが有効である。この構成とすると、暖房運転や追焚き運転の際には、熱源機によって貯湯タンクの温水を必要温度にまで加熱し、加熱した温水と熱交換することによって熱媒を必要温度にまで加熱し、加熱された熱媒を利用して暖房や風呂の追焚き等を行うことができる。給湯運転の際には、熱源機によって貯湯タンクの温水を必要温度にまで加熱し、必要温度に加熱された温水を貯湯タンクの上部へ戻し、貯湯タンクの上部から給湯することで、必要温度の温水を給湯することができる。このような構成によれば、給湯を行っている最中に給湯以外の用途の熱負荷が変動し、貯湯タンクの上部に戻る温水の温度が変動した場合でも、貯湯タンクの上部がバッファタンクとして機能するため、給湯湯温を安定させることができる。
【０００７】
上記のシステムでは、暖房運転や風呂の追焚き運転の最中には、熱媒と熱交換することによって冷却された温水が貯湯タンクの上部へ戻される。熱媒と熱交換したことによる温水温度の低下幅は、暖房運転や風呂の追焚き運転の熱負荷の大小に応じて変化する。温水温度の低下幅の変動範囲がわずかなものであれば、貯湯タンクの上部がバッファタンクとして機能するから、蓄熱の利用効率にそれほど大きな影響はない。しかしながら、温水温度の低下幅の変動範囲が大きく、低温の温水が貯湯タンクの上部へ流れ込む事態が発生すると、貯湯タンク内の温度成層状態が崩れてしまい、蓄熱の利用効率を低下させてしまう。
【０００８】
熱媒と熱交換したことによる温水温度の低下幅が大きく、その温水を貯湯タンクの上部へ戻すと貯湯タンク内の温度成層状態が崩れてしまう場合には、その温水を貯湯タンクの下部へ戻す構成とすることで、貯湯タンク内の温度成層状態を維持することができる。しかしながら、貯湯タンクの下部に蓄えられている水は、発電ユニットへ供給する冷却水としての役割を担うため、水道水と同程度に低温である必要がある。熱媒と熱交換して冷却された温水の温度が、発電ユニットの冷却水として用いるには高温である場合には、その温水を貯湯タンクの下部へ戻すと、発電ユニットの動作に不具合を生じてしまうおそれがある。また、発電ユニットの冷却水として用いるには高温である温水を貯湯タンクの下部へ流入させると、貯湯タンク内で対流が生じ、貯湯タンク内の温度成層状態が崩れ、蓄熱の利用効率を低下させてしまうおそれがある。
【０００９】
上記のように、発電ユニットの発電熱を回収して貯湯タンクに蓄熱し、その蓄熱を給湯とそれ以外の用途（暖房、風呂の追焚き等）に利用するコージェネレーションシステムでは、運用中に熱負荷が変動する場合でも、発電ユニットの動作に不具合を起こさず、かつ貯湯タンク内の温度成層状態を維持して、高い熱効率を実現することが可能なシステムが望まれている。
【００１０】
本発明は、上記の問題を鑑みてなされたものである。運用中に熱負荷が変動する場合でも、発電ユニットの動作に不具合を起こすことなく、高い熱効率を実現することが可能なコージェネレーションシステムを提供することを目的とする。
【課題を解決するための手段】
【００１１】
本発明は、発電ユニットで発生する発電熱で水を加熱し、加熱した温水を貯湯しておき、貯湯しておいた温水を利用して給湯し、さらに、貯湯しておいた温水を利用して熱媒を加熱することが可能なコージェネレーションシステムに具現化される。そのコージェネレーションシステムは、温水を貯える貯湯タンクと、貯湯タンクの下部に貯えられている温水を発電ユニットに送り発電熱によって加熱された温水を貯湯タンクの上部に戻す発電熱回収手段と、温水を加熱する熱源機と、貯湯タンクに貯えられている温水を熱源機に送る温水往路と、熱源機で加熱された温水を貯湯タンクの上部に戻す第１温水復路と、貯湯タンクの上部から温水利用箇所へ温水を供給する給湯手段と、第１温水復路を通る温水と熱媒との間で熱交換する熱交換器と、熱交換器より下流で第１温水復路を通る温水の温度を検出する温度センサと、温度センサより下流で第１温水復路から分岐しており貯湯タンクを通さずに温水往路に温水を導く第２温水復路と、温度センサより下流で第１温水復路から分岐しており貯湯タンクの下部に温水を導く第３温水復路と、熱交換器を経由した温水の流路を、第１温水復路を経由して貯湯タンクの上部へ流入する第１の流路と、第２温水復路を経由して温水往路へ流入する第２の流路と、第３温水復路を経由して貯湯タンクの下部へ流入する第３の流路の何れかに切換える切換え手段を備えている。その切換え手段は、温度センサで検出される温度が第１所定温度より高い場合に第１の流路に切換え、温度センサで検出される温度が第１所定温度より低く第２所定温度より高い場合に第２の流路に切換え、温度センサで検出される温度が第２所定温度より低い場合に第３の流路に切換える。
【００１２】
上記システムでは、貯湯タンクの下部から発電ユニットへ温水を送り、発電熱によって加熱された温水を貯湯タンクの上部へ戻すことによって、発電熱によって加熱された温水が貯湯タンクに貯湯される。貯湯タンクの内部には温度成層状態が形成され、貯湯タンクの上部に高温の温水が貯えられる。この高温の温水を温水利用箇所へ給湯することによって、発電ユニットの発電熱を利用した給湯を行うことができる。
【００１３】
上記システムでは、貯湯タンクの上部に貯えられている温水温度が低く、温水利用箇所で必要とされる温水温度よりも低温の場合には、貯湯タンクの上部の温水を熱源機で加熱してから給湯することができる。この場合、貯湯タンク内の温水は温水往路を経由して熱源機へ送られ、熱源機で加熱された温水は第１温水復路を経由して貯湯タンクの上部へ流入する。これによって、温水利用箇所で必要とされる温水温度まで加熱された温水が、貯湯タンクの上部から給湯される。このような構成とすると、貯湯タンクの上部がバッファタンクとして機能するから、温水利用箇所へ給湯される温水の温度を安定化することができる。
【００１４】
上記システムで暖房運転や風呂の追焚き運転を行う場合、貯湯タンクから熱源機へ温水を送り、その温水を必要とされる温度にまで加熱する。そして加熱された温水を熱交換器で熱媒と熱交換し、熱媒を加熱する。加熱された熱媒を利用して、暖房運転や風呂の追焚き運転を行うことができる。上記システムでは、熱媒との熱交換によって冷却された温水の戻り先を、その温水の温度に基づいて決定する。熱媒との熱交換によって冷却された温水の温度は、温度センサによって検出される。温度センサで検出される温度が第１所定温度より高い場合には、温水は第１温水復路を経由して貯湯タンクの上部に戻される。これによって、貯湯タンクの上部には第１所定温度よりも高温の温水が流入するため、第１所定温度に適切な値を設定しておけば、貯湯タンクの内部の温度成層状態が崩れることがない。温度センサで検出される温度が第２所定温度より低い場合には、温水は第３温水復路を経由して貯湯タンクの下部に戻される。これによって、貯湯タンクの下部に第２所定温度よりも低温の温水が流入する。第２所定温度に適切な値を設定しておけば、貯湯タンクの下部の温水が低温に保たれ、発電ユニットの動作に不具合を起こすことがない。さらに温度センサで検出される温度が第１所定温度より低く第２所定温度より高い場合には、温水は貯湯タンクをバイパスして、温水往路に流入する。これによって、貯湯タンクの上部に戻すには低温であるが貯湯タンクの下部に戻すには高温であるような中途半端な温度の温水は、貯湯タンクに流入することなく温水往路に流入する。貯湯タンクの温度成層状態が崩れることがない。
【００１５】
上記システムでは、運用中に暖房や風呂の追焚き等の熱負荷が変動すると、熱交換器において温水から熱媒へ与える熱量が増減し、熱媒との熱交換後の温水の温度が変動する。このような場合でも、上記のシステムによれば、熱媒との熱交換後の温水温度に基づいてその温水の戻り先を切換えているから、貯湯タンク内の温度成層状態を崩すことがない。蓄熱の利用効率を高めることができる。また、貯湯タンクの下部の温度を低温に保つことができ、発電ユニットの動作に不具合を起こすことがない。
【００１６】
上記のコージェネレーションシステムでは、前記熱媒が暖房端末機と熱交換器の間で循環することが好ましい。
このような構成とすることによって、熱源機で加熱された温水との熱交換によって加熱された熱媒を利用して、暖房端末機で暖房を行うことができる。
【００１７】
上記のコージェネレーションシステムでは、風呂の浴槽から送り出される温水と熱媒の間で熱交換する追焚き用熱交換器をさらに備え、前記熱媒が熱交換器と追焚き用熱交換器の間で循環することが好ましい。
このような構成とすることによって、熱源機で加熱された温水との熱交換によって加熱された熱媒を利用して、風呂の追焚きを行うことができる。
【発明の効果】
【００１８】
本発明のコージェネレーションシステムによれば、運用中に熱負荷が変動する場合でも、発電ユニットの動作に不具合を起こすことなく、高い熱効率を実現することができる。
【発明を実施するための最良の形態】
【００１９】
以下、本発明の好適な実施形態を説明する。
（形態１）前記温水往路は貯湯タンクの中間部に接続されている。
（形態２）前記熱媒は水である。
【実施例】
【００２０】
本発明のコージェネレーションシステムを具現化した一実施例を図面を参照しながら説明する。本実施例のコージェネレーションシステムは、図１に示すように、発電ユニット１５０、給湯ユニット１０、熱負荷１０８を備えている。
【００２１】
発電ユニット１５０は、燃料電池（図示省略）、改質器（図示省略）、熱媒循環経路１５２、熱回収用熱交換器１５４を備えている。燃料電池は、改質器で生成される水素ガスを空気中の酸素と反応させて発電を行う。発電に伴って発電熱が発生し、発電熱によって熱媒循環経路１５２内の熱媒が加熱される。熱媒循環経路１５２内の熱媒の熱は熱回収用熱交換器１５４に入力される。
【００２２】
給湯ユニット１０は、貯湯部１２、バーナ部６８、暖房用熱交換器１１４、風呂用熱交換器１２４、各種流路、コントローラ１４６等を備えている。
コントローラ１４６は、制御プログラムを記憶している。コントローラ１４６には、リモコン１４８の操作信号と、以下で説明する各種流量センサの検出信号と各種サーミスタの検出信号等が入力される。コントローラ１４６は、入力された信号を制御プログラムで処理し、以下で説明する各種ポンプ、各種弁、バーナ等を制御する。
【００２３】
貯湯部１２は、貯湯タンク１４、第１タンクサーミスタ１６、第２タンクサーミスタ１８、第３タンクサーミスタ２０、第４タンクサーミスタ２２を備えている。各タンクサーミスタ１６，１８，２０，２２は縦方向にほぼ均等に配置されており、貯湯タンク１４内のそれぞれの位置の温水の温度を検出する。各タンクサーミスタ１６，１８，２０，２２の検出信号はコントローラ１４６に出力される。
貯湯タンク１４の底部には、貯湯タンク１４に水道水を給水する給水経路２４が接続されている。給水経路２４には、減圧弁２６、給水サーミスタ２８、給水量センサ３０、給水量サーボ３２、混合サーボ３４が介装されている。減圧弁２６は、給水経路２４の上流端近傍に配置されている。減圧弁２６は給水圧力を調整するものであり、減圧弁２６の下流側圧力が低下すると開き、圧力を所定の調圧値に維持しようとする。このため、貯湯タンク１４内の温水が減少したり、後述する混合サーボ３４が開いたりすると、減圧弁２６の作用によって水道水が給水される。給水サーミスタ２８は、給水される水道水の温度を検出する。給水量センサ３０は、給水される水道水の流量を検出する。給水サーミスタ２８の検出信号と給水量センサ３０の検出信号はコントローラ１４６に出力される。給水量サーボ３２と混合サーボ３４は、いずれもステッピングモータを内蔵しており、これが駆動されることによって開度が調整されて流量を変化させる。給水量サーボ３２は、給水される水道水の流量を調整する。給水量サーボ３２の開度はコントローラ１４６によって制御される。混合サーボ３４は、給水経路２４と混合経路３６の接続部に配置されている。混合サーボ３４については後で詳述する。
給水経路２４の混合サーボ３４の下流側に排水経路３８が接続されている。排水経路３８の他端は圧力開放経路４２に接続されている。圧力開放経路４２はコージェネレーションシステムの外部に開放されている。排水経路３８には排水弁４０が介装されている。排水弁４０の開閉は手動で行う。排水弁４０が開かれると、貯湯タンク１４内の温水が排水経路３８と圧力開放経路４２を経て排水される。
【００２４】
貯湯タンク１４の天井部には、貯湯タンク１４内の温水を給湯栓４４に給湯する給湯経路４６が接続されている。給湯栓４４は、浴室、洗面所、台所等にそれぞれ配設されている。給湯経路４６には、圧力逃し弁４８、温水電磁弁５０、高温サーミスタ５２、給湯サーミスタ５４が介装されている。また、給湯経路４６には、先述の混合経路３６が接続されている。混合経路３６は、温水電磁弁５０の下流側であり、かつ高温サーミスタ５２と給湯サーミスタ５４の間に接続されている。
圧力逃し弁４８は圧力開放経路４２と接続されている。温水電磁弁５０は、給湯が開始されると開かれ、給湯が終了すると閉じられる。給湯が開始されたか否かは、給水量センサ３０の検出流量に基づいてコントローラ１４６によって判断される（後で詳述する）。高温サーミスタ５２は、貯湯タンク１４から送り出された温水の温度を検出する。給湯サーミスタ５４は、給湯経路４６からの温水と混合経路３６からの水道水との混合水の温度を検出する。高温サーミスタ５２と給湯サーミスタ５４の検出信号はコントローラ１４６に出力される。給湯経路４６からの温水と混合経路３６からの水道水との混合比は、混合サーボ３４の開度によって調整される。混合サーボ３４の開度を調整することによって給湯温度を調温することができる。混合サーボ３４の開度は、給水サーミスタ２８の検出温度と給湯サーミスタ５４の検出温度に基づいてコントローラ１４６によって指示される。
【００２５】
貯湯タンク１４と発電ユニット１５０は熱回収循環経路５６によって接続されている。熱回収循環経路５６は熱回収用熱交換器１５４を通過するように配設されている。熱回収循環経路５６は、貯湯タンク１４から熱回収用熱交換器１５４へ向かう経路が熱回収循環往路５６ａであり、熱回収用熱交換器１５４から貯湯タンク１４へ向かう経路が熱回収循環復路５６ｂである。
熱回収循環往路５６ａは貯湯タンク１４の底部と熱回収用熱交換器１５４の上流端を接続している。熱回収循環往路５６ａには熱回収循環ポンプ５８と循環往路サーミスタ６０が介装されている。熱回収循環ポンプ５８は熱回収循環経路５６内の温水を循環させる。熱回収循環ポンプ５８は、発電運転中や熱回収循環経路５６内の温水の凍結防止運転中に駆動される。熱回収循環ポンプ５８の駆動はコントローラ１４６によって制御される。循環往路サーミスタ６０は、貯湯タンク１４の近傍に配置されて、貯湯タンク１４から送り出される温水の温度を検出する。循環往路サーミスタ６０の検出信号はコントローラ１４６に出力される。
熱回収循環復路５６ｂは熱回収用熱交換器１５４の下流端と貯湯タンク１４の天井部を接続している。熱回収循環復路５６ｂには循環復路サーミスタ６２と三方弁６４が介装されている。循環復路サーミスタ６２は三方弁６４の上流側に配置されて、熱回収用熱交換器１５４を通過した後の温水の温度を検出する。循環復路サーミスタ６２の検出信号はコントローラ１４６に出力される。三方弁６４は２つの入口６４ａ，６４ｂと出口６４ｃを有している。熱回収循環復路５６ｂの上流側部分が入口６４ａに接続されており、熱回収循環復路５６ｂの下流側部分が出口６４ｃに接続されている。三方弁６４の入口６４ｂにはバイパス経路６６の一端が接続されている。バイパス経路６６の他端は熱回収循環往路５６ａの途中に接続されている。三方弁６４の入口６４ａと出口６４ｃが連通すると、発電ユニット１５０と貯湯タンク１４を経由する循環経路が形成され、三方弁６４の入口６４ｂと出口６４ｃが連通すると、発電ユニット１５０を経由して貯湯タンク１４をバイパスする循環経路が形成される。三方弁６４の切換えはコントローラ１４６によって制御される。
【００２６】
バーナ部６８は、バーナ７０、潜熱熱交換器７２、顕熱熱交換器７４を備えている。バーナ７０は、ガスを燃料として燃焼する。バーナ７０で発生する燃焼排ガスの熱によって潜熱熱交換器７２内の温水が予備加熱される。このときの燃焼排ガスの温度低下によって燃焼排ガス中の水蒸気が凝縮し、窒素酸化物が溶け込んだ酸性ドレンが生成される。潜熱熱交換器７２で予備加熱された温水は、顕熱熱交換器７４でバーナ７０の燃焼熱によって再加熱される。
潜熱熱交換器７２には、ドレンを排出又は回収するためのドレン経路９２が接続されている。ドレン経路９２は、圧力開放経路４２に接続されている。ドレン経路９２には、中和器９４が介装されている。中和器９４内には炭酸カルシウムが充填されている。酸性のドレンは、中和器９４内を通過する間に、炭酸カルシウムによってｐＨ６から７に中和される。ドレン経路９２の中和器９４の下流側には、オーバーフロー経路９８が接続している。オーバーフロー経路９８の他端はシスターン１００に接続されており、シスターン１００内の温水が所定の水位を超える場合に、その所定の水位を超える分の温水をシスターン１００から排出する。
【００２７】
貯湯タンク１４とバーナ部６８はバーナ循環経路７６によって接続されている。バーナ循環経路７６は、バーナ部６８内の潜熱熱交換器７２と顕熱熱交換器７４を順に通過するように配設されている。バーナ循環経路７６は、貯湯タンク１４からバーナ部６８へ向かう経路がバーナ循環往路７６ａであり、バーナ部６８から貯湯タンク１４へ向かう経路がバーナ循環復路７６ｂである。バーナ循環経路７６にはバーナ部６８をバイパスするバイパス経路７８が形成されている。バイパス経路７８の上流端はバーナ循環往路７６ａに接続されており、バイパス経路７８の下流端はバーナ循環復路７６ｂに接続されている。
バーナ循環往路７６ａは貯湯タンク１４の中間部（第１タンクサーミスタ１６と第２タンクサーミスタ１８との中間）と潜熱熱交換器７２の上流端を接続している。バーナ循環往路７６ａには、バーナ循環ポンプ８０、バーナ循環流量センサ８２、バーナ循環流量サーボ８４、バーナバイパスサーボ８６が介装されている。バーナ循環ポンプ８０はバーナ循環経路７６内の温水を循環させる。バーナ循環ポンプ８０の駆動はコントローラ１４６によって制御される。バーナ循環流量センサ８２は、バーナ循環経路７６内の温水の流量を検出する。バーナ循環流量センサ８２の検出信号はコントローラ１４６に出力される。バーナ循環流量サーボ８４とバーナバイパスサーボ８６は、いずれもステッピングモータを内蔵しており、これが駆動されることによって開度が調整されて流量を変化させる。バーナ循環流量サーボ８４は、バーナ循環経路７６内の温水の流量を調整する。バーナ循環流量サーボ８４の開度はコントローラ１４６によって制御される。バーナバイパスサーボ８６は、バーナ循環往路７６ａとバイパス経路７８の上流端との接続部に配置されており、バーナ循環経路７６内の温水のうち、バーナ部６８側へ流れる温水の流量とバイパス経路７８側へ流れる温水の流量の割合を調整する。バーナバイパスサーボ８６の開度を調整することによって、バーナ循環復路７６ｂとバイパス経路７８の下流端との接続部の下流側の温水温度を調温することができる。バーナバイパスサーボ８６の開度はコントローラ１４６によって制御される。
バーナ循環復路７６ｂは顕熱熱交換器７４の下流端と貯湯タンク１４の天井部を接続している。バーナ循環復路７６ｂは暖房用熱交換器１１４を通過するように配設されている。暖房用熱交換器１１４にはバーナ循環復路７６ｂ内の温水の熱が入力される。バーナ循環復路７６ｂにはバーナ出口サーミスタ８８と熱交換器出口サーミスタ９０が介装されている。バーナ出口サーミスタ８８は、バーナ循環復路７６ｂとバイパス経路７８の下流端との接続部よりも下流側に配置されて、バーナ部６８及び／又はバイパス経路７８を通過した後の温水の温度を検出する。熱交換器出口サーミスタ９０は、暖房用熱交換器１１４の下流側に配置されて、暖房用熱交換器１１４を通過した後の温水の温度を検出する。バーナ出口サーミスタ８８の検出信号と熱交換器出口サーミスタ９０の検出信号はコントローラ１４６に出力される。バーナ循環復路７６ｂの熱交換器出口サーミスタ９０の下流側には、第１制御弁１６０が設けられている。第１制御弁１６０の開閉は、コントローラ１４６によって制御される。
【００２８】
バーナ循環復路７６ｂの熱交換器出口サーミスタ９０と第１制御弁１６０の間に、第２バーナ循環復路１６６の一端が接続している。第２バーナ循環復路１６６の他端は、バーナ循環往路７６ａの貯湯タンク１４とバーナ循環ポンプ８０の間に接続している。第２バーナ循環復路１６６には第２制御弁１６２が設けられている。第２制御弁１６２の開閉は、コントローラ１４６によって制御される。
【００２９】
バーナ循環復路７６ｂの熱交換器出口サーミスタ９０と第１制御弁１６０の間に、第３バーナ循環復路１６８の一端が接続している。第３バーナ循環復路１６８の他端は、貯湯タンク１４の下部に接続している。第３バーナ循環復路１６８には第３制御弁１６４が設けられている。第３制御弁１６４の開閉は、コントローラ１４６によって制御される。
【００３０】
第１制御弁１６０、第２制御弁１６２および第３制御弁１６４は、何れか１つが開かれ、他の２つは閉じられるように、コントローラ１４６によって制御される。第１制御弁１６０が開かれ、第２制御弁１６２と第３制御弁１６４が閉じられると、暖房用熱交換器１１４を通過した温水はバーナ循環復路７６ｂを経由して貯湯タンク１４の上部に流入する。第２制御弁１６２が開かれ、第１制御弁１６０と第３制御弁１６４が閉じられると、暖房用熱交換器１１４を通過した温水はバーナ循環復路７６ｂから第２バーナ循環復路１６６を経由してバーナ循環往路７６ａに流入する。第３制御弁１６４が開かれ、第１制御弁１６０と第２制御弁１６２が閉じられると、暖房用熱交換器１１４を通過した温水はバーナ循環復路７６ｂから第３バーナ循環復路１６６を経由して貯湯タンク１４の下部に流入する。
【００３１】
給湯経路４６からは、シスターン給水経路１０２が分岐している。シスターン給水経路１０２には、負圧弁１０４、シスターン給水弁１０６が介装されている。負圧弁１０４は、断水時等で給水経路２４が負圧になったときに開かれ、大気を吸引して貯湯タンク１４の負圧による破損を防止する。シスターン給水弁１０６は、シスターン１００に貯湯タンク１４からの温水を給水するときに開かれる。シスターン１００内の温水は図示しない水位センサによって水位が監視されている。シスターン１００内の温水の水位が、所定の水位範囲内であるときにはシスターン給水弁１０６は閉じられており、所定の水位範囲を逸脱したことが判別されるとシスターン給水弁１０６が開かれる。シスターン給水弁１０６の開閉はコントローラ１４６によって制御される。
【００３２】
本実施例では、熱負荷１０８として暖房装置、風呂装置、給湯装置を有している。暖房装置の端末機としては、エアコンと床暖房機を有している。図１中では、エアコンと床暖房機を暖房端末機１１０として示している。シスターン１００と暖房端末機１１０は暖房循環経路１１２によって接続されている。暖房循環経路１１２は、シスターン１００から暖房端末機１１０へ向かう経路が暖房循環往路１１２ａであり、暖房端末機１１０からシスターン１００へ向かう経路が暖房循環復路１１２ｂである。暖房循環往路１１２ａは暖房用熱交換器１１４を通過するように配設されている。暖房循環往路１１２ａには、暖房循環ポンプ１１６、暖房循環サーミスタ１１８が介装されている。暖房循環ポンプ１１６は、暖房循環経路１１２内の温水を循環させる。暖房循環ポンプ１１６は、暖房端末機１１０のスイッチの操作に伴って駆動される。暖房循環ポンプ１１６の駆動はコントローラ１４６によって制御される。暖房循環サーミスタ１１８は、暖房用熱交換器１１４の下流側に配置されて、暖房用熱交換器１１４を通過した後の温水の温度を検出する。暖房循環サーミスタ１１８の検出信号はコントローラ１４６に出力される。暖房端末機１１０内の暖房循環経路１１２には暖房熱動弁１２０が介装されている。暖房熱動弁１２０は、暖房端末機のスイッチの操作に伴って開閉する。暖房熱動弁１２０の開閉はコントローラ１４６によって制御される。
【００３３】
暖房循環往路１１２ａの暖房用熱交換器１１４の下流側であり、かつ暖房循環サーミスタ１１８の下流側からは、追焚き経路１２２が分岐している。追焚き経路１２２の下流端は暖房循環復路１１２ｂのシスターン１００近傍に接続されている。追焚き経路１２２は風呂用熱交換器１２４を通過するように配設されている。暖房循環往路１１２ａ内の温水の熱は、風呂用熱交換器１２４に入力される。追焚き経路１２２には、追焚き熱動弁１２６が介装されている。追焚き熱動弁１２６は、風呂の追焚きスイッチの操作に伴って開閉する。追焚き熱動弁１２６の開閉はコントローラ１４６によって制御される。
【００３４】
風呂の浴槽１２８には風呂循環経路１３０が接続されている。風呂循環経路１３０は、風呂用熱交換器１２４を通過するように配設されている。風呂循環経路１３０は、浴槽１２８から風呂用熱交換器１２４へ向かう経路が風呂循環往路１３０ａであり、風呂用熱交換器１２４から浴槽１２８へ向かう経路が風呂循環復路１３０ｂである。風呂循環往路１３０ａには、風呂水位センサ１３２、風呂循環ポンプ１３４、風呂水流スイッチ１３６、風呂循環サーミスタ１３８が介装されている。風呂水位センサ１３２は、風呂循環経路１３０内の温水の水圧を検出する。風呂水位センサ１３２の検出信号はコントローラ１４６に出力される。風呂水位センサ１３２によって検出される水圧は、浴槽１２８内の温水の水位を推定するために利用される。風呂循環ポンプ１３４は、風呂循環経路１３０内の温水を循環させる。風呂循環ポンプ１３４は、リモコン１４８のスイッチの操作に伴って駆動される。風呂循環ポンプ１３４の駆動はコントローラ１４６によって制御される。風呂水流スイッチ１３６は、風呂循環経路１３０内を温水が流れるとオンとなる。風呂水流スイッチ１３６のオンオフ信号はコントローラ１４６に出力される。風呂循環サーミスタ１３８は、風呂用熱交換器１２４の上流側に配置されて、風呂用熱交換器１２４に入水する温水の温度を検出する。風呂循環サーミスタ１３８の検出信号はコントローラ１４６に出力される。
【００３５】
給湯経路４６と風呂循環経路１３０は、湯張り経路１４０によって接続されている。湯張り経路１４０の上流端は給湯経路４６の給湯サーミスタ５４の下流側に接続されており、湯張り経路１４０の下流端は風呂循環経路１３０の風呂循環往路１３０ａの風呂循環ポンプ１３４と風呂水流スイッチ１３６との間に接続されている。湯張り経路１４０には、湯張り量センサ１４２、注湯電磁弁１４４が介装されている。湯張り量センサ１４２は、湯張り経路１４０を通過する温水の流量を検出する。湯張り量センサ１４２の検出信号はコントローラ１４６に出力される。注湯電磁弁１４４は、リモコン１４８のスイッチの操作や浴槽１２８内の温水の水位によって開閉する。注湯電磁弁１４４の開閉はコントローラ１４６によって制御される。
【００３６】
次に、給湯ユニット１０で行われる蓄熱運転、給湯運転、暖房運転、風呂湯張り運転、風呂追焚き運転についてそれぞれ説明する。
【００３７】
（蓄熱運転）
蓄熱運転については、従来のコージェネレーションシステムと同様に行われるため、詳細な説明を避け、概略の説明に留める。発電ユニット１５０において発電運転が行われると、熱媒循環経路１５２内の熱媒が循環し、熱回収用熱交換器１５４に発電熱が入力される。給湯ユニット１０では、熱回収循環ポンプ５８が駆動され、貯湯タンク１４内の温水が、貯湯タンク１４の底部から熱回収循環往路５６ａへ吸い出される。熱回収循環往路５６ａ内の温水は、熱回収用熱交換器１５４へ流入して加熱される。加熱された温水は熱回収循環復路５６ｂを経て貯湯タンク１４の天井部へ戻される。これによって、発電ユニット１５０において発電に伴って発生する発電熱が貯湯タンク１４内へ回収されて蓄熱される。貯湯タンク１４内の温水は上部から昇温していく。
【００３８】
貯湯タンク１４内への蓄熱が完了し、満蓄状態となると、シスターン給水弁１０６が開かれる。これによって、貯湯タンク１４の上部に貯められていた高温水がシスターン給水経路１０２を経てシスターン１００内へ供給される。シスターン１００内の温水は、後述する暖房運転や風呂の追焚き運転を行うときに利用する。
【００３９】
（給湯運転）
給湯運転について、図２、図３を用いて説明する。図２は給湯運転におけるコージェネレーションシステムの動作の概要を示している。給湯運転では、図２中に太線で示す経路内を水又は温水が流通する。図３は給湯運転のフローチャートである。
【００４０】
図３のステップＳ１０では、給水量センサ３０の検出流量が２．７リットル／ｍｉｎ以上であるか否かが判別される。給水量センサ３０の検出流量が２．７リットル／ｍｉｎ以上となると（ステップＳ１０でＹＥＳとなると）、給湯栓４４が開かれて給湯要求があったとみなされる。ステップＳ１２に進み、温水電磁弁５０が開かれる。これによって、貯湯タンク１４内の上部に貯められていた温水が給湯経路４６に送り出される。
【００４１】
ステップＳ１４に進み、第１タンクサーミスタ１６の検出温度が６０℃以上であるか否かが判別される。第１タンクサーミスタ１６の検出温度が６０℃以上であれば（ステップＳ１４でＹＥＳであれば）、貯湯タンク１４内の温水を加熱することなく給湯に利用することが可能とみなされる。このような場合、ステップＳ１６に進み、非燃焼給湯運転が行われる。非燃焼給湯運転では、バーナ７０を燃焼させず、バーナ循環ポンプ８０も駆動されない。ステップＳ１６では、バーナ７０が燃焼していれば消火し、バーナ循環ポンプ８０が駆動していれば停止する。
【００４２】
第１タンクサーミスタ１６の検出温度が６０℃未満であれば（ステップＳ１４でＮＯであれば）、貯湯タンク１４内の温水を加熱することなく給湯に利用することが不可能とみなされる。このような場合、ステップＳ２２に進み、燃焼給湯運転が行われる。燃焼給湯運転では、バーナ７０を燃焼させ、バーナ循環ポンプ８０を駆動させる。ステップＳ１８では、バーナ７０が燃焼していなければ点火し、バーナ循環ポンプ８０が駆動していなければ駆動する。ステップＳ２０では、第１制御弁１６０が開かれ、第２制御弁１６２と第３制御弁１６４が閉じられる。これによって、貯湯タンク１４の中間部の温水が、バーナ循環往路７６ａを経てバーナ部６８に送り出されて加熱される。ステップＳ２２では、バーナ出口サーミスタ８８の検出温度が６５℃となるようにバーナ７０の燃焼量とバーナバイパスサーボ８６の開度が制御される。バーナ部６８に送り出された温水は６５℃に加熱され、バーナ循環復路７６ｂを経て貯湯タンク１４の上部に戻される。
【００４３】
ステップＳ２４では、給湯サーミスタ５４の検出温度が給湯設定温度となるように、混合サーボ３４の開度が調整される。これによって、貯湯タンク１４の上部から給湯経路４６に送り出された温水が、給湯設定温度に調温されて、給湯栓４４に供給される。
ステップＳ２６では、給水量センサ３０の検出流量が２．０リットル／ｍｉｎ以下であるか否かが判別される。給水量センサ３０の検出流量が２．０リットル／ｍｉｎを超えていれば（ステップＳ２６でＮＯであれば）、まだ給湯栓４４は開かれており、給湯中であるとみなされてステップＳ１４へ戻る。貯湯タンク１４の上部の温水温度が６０℃以上であれば非燃焼給湯運転が行われ、貯湯タンク１４の上部の温水温度が６０℃未満であれば燃焼給湯運転が行われることとなる。燃焼給湯運転が行われることによって、バーナ７０によって６５℃に加熱された温水が、貯湯タンク１４の第１タンクサーミスタ１６より上部に貯められる。これによって、貯湯タンク１４の上部は６５℃の温水が貯められたバッファタンクとなる。バッファタンク化した貯湯タンク１４の上部から６５℃の温水が給湯経路４６に送り出され、給湯設定温度に調温されて給湯される。給湯温度の調温は、混合サーボ３４の開度を調整することによってなされる。給水サーミスタ２８の検出温度と給湯サーミスタ５４の検出温度から、給湯サーミスタ２８の検出温度が給湯設定温度となるように混合サーボ３４の開度が調整される。
ステップＳ２６で、給水量センサ３０の検出流量が２．０リットル／ｍｉｎ以下となれば（ＹＥＳとなれば）、給湯栓４４が閉じられたとみなされる。ステップＳ２８へ進み、温水電磁弁５０が閉じられて給湯運転が終了される。
【００４４】
（暖房運転）
暖房運転について、図４から図８を用いて説明する。図４から図６は暖房運転におけるコージェネレーションシステムの動作の概要を示している。暖房運転では、温水の流路の切換えに応じて、図４から図６中に実線で示す経路内を水又は温水が流通する。図７と図８は暖房運転のフローチャートである。
【００４５】
図７のステップＳ４０では、暖房装置のリモコンのスイッチが操作されて、暖房のオン信号が出力されたか否かが判別される。暖房のオン信号が出力されたことが判別されると（ステップＳ４０でＹＥＳとなると）、暖房端末機１１０の運転要求があったとみなされる。以下では、起動した暖房装置が低温端末機である床暖房機である場合について説明する。ステップＳ４２に進み、バーナ循環ポンプ８０が駆動される。これによって、バーナ部６８に温水が送り出される。また、暖房端末機１１０の暖房熱動弁１２０が開かれ、暖房循環ポンプ１１６が駆動される。これによって、シスターン１００内の温水が、暖房用熱交換器１１４を通過して、暖房端末機１１０に送り出される。
【００４６】
ステップＳ４４では、第２タンクサーミスタ１８の検出温度が６２℃以上であるか否かが判別される。第２タンクサーミスタ１８の検出温度が６２℃以上であれば（ステップＳ４４でＹＥＳであれば）、貯湯タンク１４の中間部より上方の蓄熱のみで暖房運転が可能とみなされる。このような場合、暖房用熱交換器１１４から送り出される温水を貯湯タンク１４の上部に戻す必要はなく、その温水を貯湯タンク１４の下部に戻すか、貯湯タンク１４をバイパスしてバーナ循環往路７６ａへ流入させるかを、ステップＳ４６以降で選択する。ステップＳ４６では、第４タンクサーミスタ２２の検出温度が４０℃以上であるか否かが判別される。第４タンクサーミスタ２２の検出温度が４０℃以上の場合（ステップＳ４６でＹＥＳの場合）、貯湯タンク１４が満蓄状態であって、発電ユニット１５０から貯湯タンク１４への熱回収は行われていないから、貯湯タンク１４の下部の温水が高温となっても問題はない。従って、このような場合、ステップＳ４８へ進み、バーナ循環復路７６ｂからの温水を貯湯タンク１４の下部へ流入させる。ステップＳ４８では、この時点でバーナ７０が燃焼していれば消火する。ステップＳ５０では、第３制御弁１６４が開かれ、第１制御弁１６０と第２制御弁１６２が閉じられる。これによって、図６に示すように、貯湯タンク１４の中間部の温水が、バーナ循環往路７６ａを経てバーナ部６８に送り出され、加熱されることなく暖房用熱交換器１１４に送り出される。暖房用熱交換器１１４での熱交換によって冷却された温水は、貯湯タンク１４の下部に戻される。一方、シスターン１００から送り出された温水は、暖房用熱交換器１１４での熱交換によって加熱されて、暖房端末機１１０での暖房に利用される。暖房端末機１１０を通過した温水は、シスターン１００へ戻る。
【００４７】
図７のステップＳ４６で第４タンクサーミスタ２２の検出温度が４０℃未満の場合（ＮＯの場合）、貯湯タンク１４は満蓄状態ではないから、発電ユニット１５０から貯湯タンク１４への熱回収が行われる可能性がある。従って、このような場合には、貯湯タンク１４の下部の温水が高温とならないようにする必要がある。ステップＳ５２では、熱交換器出口サーミスタ９０の検出温度が３８℃以上であるか否かが判別される。熱交換器出口サーミスタ９０の検出温度が３８℃に満たない場合（ステップＳ５２でＮＯの場合）、暖房用熱交換器１１４から送り出される温水は十分に低温となっているから、ステップＳ４８へ進み、その温水を貯湯タンク１４の下部に戻す。熱交換器出口サーミスタ９０の検出温度が３８℃以上の場合（ステップＳ５２でＹＥＳの場合）、暖房用熱交換器１１４から送り出される温水は十分に低温となっていないから、ステップＳ５４へ進み、その温水を貯湯タンク１４に戻さずに、バーナ循環往路７６ａへ流入させる。ステップＳ５４では、第２制御弁１６２が開かれ、第１制御弁１６０と第３制御弁１６４が閉じられる。これによって、図５に示すように、温水はバーナ循環往路７６ａを経てバーナ部６８に送り出され、加熱されることなく暖房用熱交換器１１４に送り出される。暖房用熱交換器１１４での熱交換によって冷却された温水は、再びバーナ循環往路７６ａに流入する。
【００４８】
図７のステップＳ４４で第２タンクサーミスタ１８の検出温度が６２℃未満であれば（ＮＯであれば）、貯湯タンク１４の上部の蓄熱のみでは暖房運転を行えないと判断される。このような場合、図８のステップＳ６２に進み、燃焼暖房運転を行う。ステップＳ６２では、バーナ７０がすでに燃焼しているか否かが判別される。バーナ７０が燃焼していない場合（ステップＳ６２でＮＯの場合）、バーナ７０の点火の要否を判断するために、処理はステップＳ６６へ進む。ステップＳ６６では、暖房循環サーミスタ１１８で検出される温度が４８℃を下回るか否かが判別される。暖房循環サーミスタ１１８で検出される温度が４８℃を下回る場合（ステップＳ６６でＹＥＳの場合）、暖房端末機１１０へ送り出される温水の温度が低いため、ステップＳ６８に進み、バーナ７０を点火する。ステップＳ７０では、バーナ出口サーミスタ８８の検出温度が６５℃となるようにバーナ７０の燃焼量とバーナバイパスサーボ８６の開度が制御される。
【００４９】
ステップＳ６６で、暖房循環サーミスタ１１８で検出される温度が４８℃以上の場合（ステップＳ６６でＮＯの場合）、バーナ７０を燃焼させなくても、暖房端末機１１０で必要とされる温度の温水が暖房端末機１１０へ送り出されているため、バーナ７０を点火することなく、処理はステップＳ７２へ進む。
【００５０】
ステップＳ６２で、バーナ７０がすでに燃焼している場合（ステップＳ６２でＹＥＳの場合）、バーナ７０の消火の要否を判断するために、処理はステップＳ６４へ進む。ステップＳ６４では、暖房循環サーミスタ１１８で検出される温度が７２℃を超えているか否かが判別される。暖房循環サーミスタ１１８で検出される温度が７２℃を超えている場合（ステップＳ６４でＹＥＳの場合）、暖房端末機１１０に送り出される温水が高温となり過ぎているから、ステップＳ６５へ進んで、バーナ７０を消火する。
【００５１】
ステップＳ６４で暖房循環サーミスタ１１８で検出される温度が７２℃以下の場合（ＮＯの場合）、バーナ７０の燃焼が維持される。この場合、処理はステップＳ７０へ進んで、バーナ出口サーミスタ８８の検出温度が６５℃となるようにバーナ７０の燃焼量とバーナバイパスサーボ８６の開度が制御される。
【００５２】
ステップＳ６２〜Ｓ７０の処理によって、暖房用熱交換器１１４から暖房端末機１１０へ送り出される温水の温度が６０℃±１２℃の範囲に収まるように、バーナ７０の点火と消火が制御される。バーナ７０が燃焼していないときに暖房循環サーミスタ１１８の検出温度が４８℃を下回ると、ステップＳ６８でバーナ７０を点火する。バーナ７０が燃焼しているときに暖房循環サーミスタ１１８の検出温度が７２℃を超えると、ステップＳ６５でバーナ７０を消火する。これによって、暖房端末機１１０へ送り出される温水が必要とされる温度まで暖房用熱交換器１１４で加熱されるように、バーナ７０の点火と消火が制御される。
【００５３】
ステップＳ７２では、熱交換器出口サーミスタ９０の検出温度が６０℃以上であるか否かが判別される。熱交換器出口サーミスタ９０の検出温度が６０℃以上の場合（ステップＳ７２でＹＥＳの場合）、暖房用熱交換器１１４から送り出される温水は貯湯タンク１４の上部に戻しても問題がない程度に高温である。このような場合、ステップＳ７４へ進み、第１制御弁１６０が開かれ、第２制御弁１６２と第３制御弁１６４が閉じられる。これによって、図４に示すように、暖房用熱交換器１１４から送り出される温水は貯湯タンク１４の上部に戻される。この場合には、貯湯タンク１４の中間部の温水が、バーナ循環往路７６ａを経てバーナ部６８に送り出され、必要に応じて加熱されて、暖房用熱交換器１１４に送り出される。暖房用熱交換器１１４での熱交換によって冷却された温水（冷却後の温度が６０℃以上である点に留意されたい）は、貯湯タンク１４の上部に戻される。一方、シスターン１００から送り出された温水は、暖房用熱交換器１１４での熱交換によって加熱されて、暖房端末機１１０での暖房に利用される。暖房端末機１１０を通過した温水は、シスターン１００へ戻る。
【００５４】
図８のステップＳ７２で、熱交換器出口サーミスタ９０の検出温度が６０℃に満たない場合（ＮＯの場合）、暖房用熱交換器１１４から送り出される温水は貯湯タンク１４の上部へ戻すには低温であるから、ステップＳ７６へ進む。ステップＳ７６では、熱交換器出口サーミスタ９０の検出温度が３８℃以上であるか否かが判別される。熱交換器出口サーミスタ９０の検出温度が３８℃以上の場合（ステップＳ７６でＹＥＳの場合）、暖房用熱交換器１１４から送り出される温水は貯湯タンク１４の下部へ戻すには高温であるから、ステップＳ８０へ進み、第２制御弁１６２を開いて、第１制御弁１６０と第３制御弁１６４を閉じる。これによって、暖房用熱交換器１１４から送り出される温水は、貯湯タンク１４をバイパスして、バーナ循環往路７６ａへ流入する。
【００５５】
ステップＳ７６で、熱交換器出口サーミスタ９０の検出温度が３８℃に満たない場合（ＮＯの場合）、暖房用熱交換器１１４から送り出される温水は貯湯タンク１４の下部に戻しても問題がない程度に低温である。このような場合、ステップＳ７８へ進み、熱交換器出口サーミスタ９０の検出温度が第２タンクサーミスタ１８の検出温度を下回るか否かが判別される。熱交換器出口サーミスタ９０の検出温度が第２タンクサーミスタ１８の検出温度を下回る場合（ステップＳ７８でＹＥＳの場合）、ステップＳ８２へ進み、第３制御弁１６４が開かれ、第１制御弁１６０と第２制御弁１６２が閉じられる。これによって、暖房用熱交換器１１４から送り出される温水は、貯湯タンク１４の下部に戻される。
【００５６】
ステップＳ７８で熱交換器出口サーミスタ９０の検出温度が第２タンクサーミスタ１８の検出温度以上の場合（ＮＯの場合）、貯湯タンク１４からバーナ部６８に送り出される温水の温度より、暖房用熱交換器１１４から送り出される温水の温度の方が高い。このような場合には、ステップＳ８０へ進み、暖房用熱交換器１１４から送り出される温水を貯湯タンク１４に戻さずに、バーナ循環往路７６ａへ流入させる。これによって、バーナ部６８へより高温の温水を供給することができる。暖房運転で必要とされるバーナ７０の燃焼量を抑制することができ、熱効率を向上することができる。
【００５７】
ステップＳ７４、ステップＳ８０またはステップＳ８２の後、処理は図７のステップＳ５６へ移行する。ステップＳ５６では、暖房装置のリモコンのスイッチが操作されて、暖房のオフ信号が出力されたか否かが判別される。暖房のオフ信号が出力されるまでは、上記のステップＳ４４以降の処理が繰返される。暖房のオフ信号が出力されると（ステップＳ５６でＹＥＳとなると）、暖房端末機１１０の運転停止要求があったとみなされる。この場合、ステップＳ５８に進み、バーナ７０がこの時点で燃焼していれば、バーナ７０が消火される。さらにステップＳ６０に進み、バーナ循環ポンプ８０が停止され、暖房熱動弁１２０が閉じられ、暖房循環ポンプ５６が停止されて暖房運転が終了する。
【００５８】
なお上記では暖房端末機１１０において低温端末機である床暖房機が起動した場合について説明したが、高温端末機であるエアコンが起動した場合にも、同様の処理によって暖房運転を行うことができる。この場合、ステップＳ４４、ステップＳ６４、ステップＳ６６およびステップＳ７２で判断の基準としている温度が、高温端末機に合わせた温度に変更される。またステップＳ７０で制御の基準としている温度が、高温端末機に合わせた温度に変更される。
【００５９】
（風呂追焚き運転）
風呂の追焚き運転について、図９から図１３を用いて説明する。図９から図１１は追焚き運転におけるコージェネレーションシステムの動作の概要を示している。追焚き運転では、温水の流路の切換えに応じて、図９から図１１中に実線で示す経路内を水又は温水が流通する。図１２と図１３は追焚き運転のフローチャートである。
【００６０】
図１２のステップＳ９０では、リモコン１４８の風呂の追焚きスイッチが操作されて、追焚きのオン信号が出力されたか否かが判別される。追焚きのオン信号が出力されたことが判別されると（ステップＳ９０でＹＥＳとなると）、追焚き要求があったとみなされる。ステップＳ９２に進み、バーナ循環ポンプ８０が駆動される。これによって、バーナ部６８に温水が送り出される。また、追焚き熱動弁１２６が開かれ、暖房循環ポンプ１１６が駆動される。これによって、シスターン１００内の温水が、暖房用熱交換器１１４を通過して、風呂用熱交換器１２４に送り出される。さらに、風呂循環ポンプ１３４が駆動される。これによって、浴槽１２８内の温水が、風呂循環往路１３０ａに送り出され、風呂用熱交換器１２４を通過して、浴槽１２８へ戻る。
【００６１】
ステップＳ９４では、第２タンクサーミスタ１８の検出温度が８２℃以上であるか否かが判別される。第２タンクサーミスタ１８の検出温度が８２℃以上であれば（ステップＳ９４でＹＥＳであれば）、貯湯タンク１４の中間部より上方の蓄熱のみで追焚き運転が可能とみなされる。このような場合、暖房用熱交換器１１４から送り出される温水を貯湯タンク１４の上部に戻す必要はなく、その温水を貯湯タンク１４の下部に戻すか、貯湯タンク１４をバイパスしてバーナ循環往路７６ａへ流入させるかを、ステップＳ９６以降で選択する。ステップＳ９６では、第４タンクサーミスタ２２の検出温度が４０℃以上であるか否かが判別される。第４タンクサーミスタ２２の検出温度が４０℃以上の場合（ステップＳ９６でＹＥＳの場合）、貯湯タンク１４が満蓄状態であって、発電ユニット１５０から貯湯タンク１４への熱回収は行われていないから、貯湯タンク１４の下部の温水が高温となっても問題はない。従って、このような場合、ステップＳ９８へ進み、バーナ循環復路７６ｂからの温水を貯湯タンク１４の下部へ流入させる。ステップＳ９８では、この時点でバーナ７０が燃焼していれば消火する。ステップＳ１００では、第３制御弁１６４が開かれ、第１制御弁１６０と第２制御弁１６２が閉じられる。これによって、図１１に示すように、貯湯タンク１４の中間部の温水が、バーナ循環往路７６ａを経てバーナ部６８に送り出され、加熱されることなく暖房用熱交換器１１４に送り出される。暖房用熱交換器１１４での熱交換によって冷却された温水は、貯湯タンク１４の下部に戻される。一方、シスターン１００から送り出された温水は、暖房用熱交換器１１４での熱交換によって加熱されて、風呂用熱交換器１２４に送り出される。風呂用熱交換器１２４での熱交換によって冷却された温水は、シスターン１００に戻される。さらに、浴槽１２８から送り出された温水は、風呂用熱交換器１２４での熱交換によって加熱されて、浴槽１２８へ戻る。
【００６２】
図１２のステップＳ９６で第４タンクサーミスタ２２の検出温度が４０℃未満の場合（ＮＯの場合）、貯湯タンク１４は満蓄状態ではないから、発電ユニット１５０から貯湯タンク１４への熱回収が行われる可能性がある。従って、このような場合には、貯湯タンク１４の下部の温水が高温とならないようにする必要がある。ステップＳ１０２では、熱交換器出口サーミスタ９０の検出温度が３８℃以上であるか否かが判別される。熱交換器出口サーミスタ９０の検出温度が３８℃に満たない場合（ステップＳ１０２でＮＯの場合）、暖房用熱交換器１１４から送り出される温水は十分に低温となっているから、ステップＳ９８へ進み、その温水を貯湯タンク１４の下部に戻す。熱交換器出口サーミスタ９０の検出温度が３８℃以上の場合（ステップＳ１０２でＹＥＳの場合）、暖房用熱交換器１１４から送り出される温水は十分に低温となっていないから、ステップＳ１０４へ進み、その温水を貯湯タンク１４に戻さずに、バーナ循環往路７６ａへ流入させる。ステップＳ１０４では、第２制御弁１６２が開かれ、第１制御弁１６０と第３制御弁１６４が閉じられる。これによって、図１０に示すように、温水はバーナ循環往路７６ａを経てバーナ部６８に送り出され、加熱されることなく暖房用熱交換器１１４に送り出される。暖房用熱交換器１１４での熱交換によって冷却された温水は、再びバーナ循環往路７６ａに流入する。
【００６３】
図１２のステップＳ９４で第２タンクサーミスタ１８の検出温度が８２℃未満であれば（ＮＯであれば）、貯湯タンク１４の上部の蓄熱のみでは追焚き運転を行えないと判断される。このような場合、図１３のステップＳ１１２に進み、燃焼追焚き運転を行う。ステップＳ１１２では、バーナ７０がすでに燃焼しているか否かが判別される。バーナ７０が燃焼していない場合（ステップＳ１１２でＮＯの場合）、バーナ７０の点火の要否を判断するために、処理はステップＳ１１８へ進む。ステップＳ１１８では、暖房循環サーミスタ１１８で検出される温度が６８℃を下回るか否かが判別される。暖房循環サーミスタ１１８で検出される温度が６８℃を下回る場合（ステップＳ１１８でＹＥＳの場合）、浴槽１２８の温水を加熱するために風呂用熱交換器１２４へ送り出される温水の温度が低いため、ステップＳ１２０に進み、バーナ７０を点火する。ステップＳ１２２では、バーナ出口サーミスタ８８の検出温度が８５℃となるようにバーナ７０の燃焼量とバーナバイパスサーボ８６の開度が制御される。
【００６４】
ステップＳ１１８で、暖房循環サーミスタ１１８で検出される温度が６８℃以上の場合（ステップＳ１１８でＮＯの場合）、バーナ７０を燃焼させなくても、浴槽１２８の温水を加熱するうえで十分に高温な温水が風呂用熱交換器１２４に送り出されているため、バーナ７０を点火することなく、処理はステップＳ１２４へ進む。
【００６５】
ステップＳ１１２で、バーナ７０がすでに燃焼している場合（ステップＳ１１２でＹＥＳの場合）、バーナ７０の消火の要否を判断するために、処理はステップＳ１１４へ進む。ステップＳ１１４では、暖房循環サーミスタ１１８で検出される温度が８７℃を超えているか否かが判別される。暖房循環サーミスタ１１８で検出される温度が８７℃を超えている場合（ステップＳ１１４でＹＥＳの場合）、風呂用熱交換器１２４に送り出される温水が高温となり過ぎているから、ステップＳ１１６へ進んで、バーナ７０を消火する。
【００６６】
ステップＳ１１４で暖房循環サーミスタ１１８で検出される温度が８７℃以下の場合（ＮＯの場合）、バーナ７０の燃焼が維持される。この場合、処理はステップＳ１２２へ進んで、バーナ出口サーミスタ８８の検出温度が８５℃となるようにバーナ７０の燃焼量とバーナバイパスサーボ８６の開度が制御される。
【００６７】
ステップＳ１１２〜Ｓ１２２の処理によって、暖房用熱交換器１１４から風呂用熱交換器１２４へ送り出される温水の温度が８０℃−１２℃＝６８℃から８０℃＋７℃＝８７℃の範囲に収まるように、バーナ７０の点火と消火が制御される。バーナ７０が燃焼していないときに暖房循環サーミスタ１１８の検出温度が６８℃を下回ると、ステップＳ１２０でバーナ７０を点火する。バーナ７０が燃焼しているときに暖房循環サーミスタ１１８の検出温度が８７℃を超えると、ステップＳ１１６でバーナ７０を消火する。これによって、風呂用熱交換器１２４へ送り出される温水が必要とされる温度まで暖房用熱交換器１１４で加熱されるように、バーナ７０の点火と消火が制御される。
【００６８】
ステップＳ１２４では、熱交換器出口サーミスタ９０の検出温度が８０℃以上であるか否かが判別される。熱交換器出口サーミスタ９０の検出温度が８０℃以上の場合（ステップＳ１２４でＹＥＳの場合）、暖房用熱交換器１１４から送り出される温水は貯湯タンク１４の上部に戻しても問題がない程度に高温である。このような場合、ステップＳ１２６へ進み、第１制御弁１６０が開かれ、第２制御弁１６２と第３制御弁１６４が閉じられる。これによって、図９に示すように、暖房用熱交換器１１４から送り出される温水は貯湯タンク１４の上部に戻される。この場合には、貯湯タンク１４の中間部の温水が、バーナ循環往路７６ａを経てバーナ部６８に送り出され、必要に応じて加熱されて、暖房用熱交換器１１４に送り出される。暖房用熱交換器１１４での熱交換によって冷却された温水（冷却後の温度が８０℃以上である点に留意されたい）は、貯湯タンク１４の上部に戻される。一方、シスターン１００から送り出された温水は、暖房用熱交換器１１４での熱交換によって加熱されて、風呂用熱交換器１２４に送り出される。風呂用熱交換器１２４での熱交換によって冷却された温水は、シスターン１００に戻される。さらに、浴槽１２８から送り出された温水は、風呂用熱交換器１２４での熱交換によって加熱されて、浴槽１２８へ戻る。
【００６９】
図１３のステップＳ１２４で、熱交換器出口サーミスタ９０の検出温度が８０℃に満たない場合（ＮＯの場合）、暖房用熱交換器１１４から送り出される温水は貯湯タンク１４の上部へ戻すには低温であるから、ステップＳ１２８へ進む。ステップＳ１２８では、熱交換器出口サーミスタ９０の検出温度が３８℃以上であるか否かが判別される。熱交換器出口サーミスタ９０の検出温度が３８℃以上の場合（ステップＳ１２８でＹＥＳの場合）、暖房用熱交換器１１４から送り出される温水は貯湯タンク１４の下部へ戻すには高温であるから、ステップＳ１３０へ進み、第２制御弁１６２を開いて、第１制御弁１６０と第３制御弁１６４を閉じる。これによって、暖房用熱交換器１１４から送り出される温水は、貯湯タンク１４をバイパスして、バーナ循環往路７６ａへ流入する。
【００７０】
ステップＳ１２８で、熱交換器出口サーミスタ９０の検出温度が３８℃に満たない場合（ＮＯの場合）、暖房用熱交換器１１４から送り出される温水は貯湯タンク１４の下部に戻しても問題がない程度に低温である。このような場合、ステップＳ１３２へ進み、熱交換器出口サーミスタ９０の検出温度が第２タンクサーミスタ１８の検出温度を下回るか否かが判別される。熱交換器出口サーミスタ９０の検出温度が第２タンクサーミスタ１８の検出温度を下回る場合（ステップＳ１３２でＹＥＳの場合）、ステップＳ１３４へ進み、第３制御弁１６４が開かれ、第１制御弁１６０と第２制御弁１６２が閉じられる。これによって、暖房用熱交換器１１４から送り出される温水は、貯湯タンク１４の下部に戻される。
【００７１】
ステップＳ１３２で熱交換器出口サーミスタ９０の検出温度が第２タンクサーミスタ１８の検出温度以上の場合（ＮＯの場合）、貯湯タンク１４からバーナ部６８に送り出される温水の温度より、暖房用熱交換器１１４から送り出される温水の温度の方が高い。このような場合には、ステップＳ１３０へ進み、暖房用熱交換器１１４から送り出される温水を貯湯タンク１４に戻さずに、バーナ循環往路７６ａへ流入させる。これによって、バーナ部６８へより高温の温水を供給することができる。追焚き運転で必要とされるバーナ７０の燃焼量を抑制することができ、熱効率を向上することができる。
【００７２】
ステップＳ１２６、ステップＳ１３０またはステップＳ１３４の後、処理は図１２のステップＳ１０６へ移行する。ステップＳ１０６では、風呂循環サーミスタ１３８の検出温度が追焚き設定温度となったか否かが判別される。風呂循環サーミスタ１３８の検出温度が追焚き設定温度となるまでは、上記のステップＳ９４以降の処理が繰り返される。風呂循環サーミスタ１３８の検出温度が追焚き設定温度となると（ステップＳ１０６でＹＥＳとなると）、浴槽１２８内の温水の温度が追焚き設定温度となったとみなされる。この場合、ステップＳ１０８に進み、バーナ７０がこの時点で燃焼していれば、バーナ７０が消火される。さらにステップＳ１１０に進み、バーナ循環ポンプ８０が停止され、追焚き熱動弁１２６が閉じられ、暖房循環ポンプ５６が停止され、風呂循環ポンプ１３４が停止されて、風呂の追焚き運転が終了する
【００７３】
（風呂湯張り運転）
風呂の湯張り運転について、図１４、図１５を用いて説明する。図１４は湯張り運転におけるコージェネレーションシステムの動作の概要を示している。湯張り運転では、図１４中に実線で示す経路内を水又は温水が流通する。図１５は湯張り運転のフローチャートである。
【００７４】
図１５のステップＳ１４０では、リモコン１４８の風呂の湯張りスイッチが操作されて、湯張りのオン信号が出力されたか否かが判別される。湯張りのオン信号が出力されたことが判別されると（ステップＳ１４０でＹＥＳとなると）、湯張り要求があったとみなされる。ステップＳ１４２に進み、注湯電磁弁１４４が開かれるとともに、温水電磁弁５０が開かれる。これによって、貯湯タンク１４内の上部に貯められていた温水が給湯経路４６に送り出され、湯張り経路１４０、風呂循環経路１３０を経て、浴槽１２８内に供給される。ステップＳ１４４では、湯張り量センサ１４２の検出流量の積算が開始される。
【００７５】
ステップＳ１４６に進み、第１タンクサーミスタ１６の検出温度が６０℃以上であるか否かが判別される。第１タンクサーミスタ１６の検出温度が６０℃以上であれば（ステップＳ１４６でＹＥＳであれば）、貯湯タンク１４内の温水を加熱することなく湯張りに利用することが可能とみなされる。このような場合、ステップＳ１４８に進み、非燃焼湯張り運転が行われる。非燃焼湯張り運転では、バーナ７０を燃焼させず、バーナ循環ポンプ８０も駆動されない。ステップＳ１４８では、バーナ７０が燃焼していれば消火し、バーナ循環ポンプ８０が駆動していれば停止する。
【００７６】
第１タンクサーミスタ１６の検出温度が６０℃未満であれば（ステップＳ１４６でＮＯであれば）、貯湯タンク１４内の温水を加熱することなく湯張りに利用することが不可能とみなされる。このような場合、ステップＳ１５０に進み、燃焼湯張り運転が行われる。燃焼湯張り運転では、バーナ７０が点火され、バーナ循環ポンプ８０が駆動される。ステップＳ１５０では、バーナ７０が燃焼していなければ点火し、バーナ循環ポンプ８０が駆動していなければ駆動する。ステップＳ１５２では、第１制御弁１６０が開かれ、第２制御弁１６２と第３制御弁１６４が閉じられる。これによって、貯湯タンク１４の中間部の温水が、バーナ循環往路７６ａを経てバーナ部６８に送り出されて加熱される。ステップＳ１５４では、バーナ出口サーミスタ８８の検出温度が６５℃となるようにバーナ７０の燃焼量とバーナバイパスサーボ８６の開度が制御される。バーナ部６８に送り出された温水は６５℃に加熱され、バーナ循環復路７６ｂを経て貯湯タンク１４の上部に戻される。
【００７７】
ステップＳ１５６では、給湯サーミスタ５４の検出温度が湯張り設定温度となるように、混合サーボ３４の開度が調整される。これによって、貯湯タンク１４の上部から給湯経路４６に送り出された温水が、湯張り設定温度に調温されて、浴槽１２８に供給される。
ステップＳ１５８では、湯張り量センサ１４２の積算流量が湯張り設定水量であるか否かが判別される。湯張り量センサ１４２の積算流量が湯張り設定水量に満たなければ（ステップＳ１５８でＮＯであれば）、ステップＳ１４６へ戻る。貯湯タンク１４の上部の温水温度が６０℃以上であれば非燃焼湯張り運転が行われ、貯湯タンク１４の上部の温水温度が６０℃未満であれば燃焼湯張り運転が行われることとなる。燃焼湯張り運転が行われることによって、バーナ７０によって６５℃に加熱された温水が、貯湯タンク１４の第１タンクサーミスタ１６より上部に貯められる。これによって、貯湯タンク１４の上部は６０℃以上の温水が貯められたバッファタンクとなる。バッファタンク化した貯湯タンク１４の上部から６０℃以上の温水が給湯経路４６に送り出され、湯張り設定温度に調温されて給湯される。湯張り温度の調温は、混合サーボ３４の開度を調整することによってなされる。給水サーミスタ２８の検出温度と給湯サーミスタ５４の検出温度から、給湯サーミスタ２８の検出温度が湯張り設定温度となるように混合サーボ３４の開度が調整される。
ステップＳ１５８で、湯張り量センサ１４２の積算流量が湯張り設定水量となれば（ＹＥＳとなれば）、湯張りが完了したとみなされる。ステップＳ１６０へ進み、注湯電磁弁１４４が閉じられるとともに、温水電磁弁５０が閉じられて湯張り運転が終了される。
【００７８】
本実施例では、貯湯タンク１４の中間部から温水を取り出してバーナ７０に送り出すため、貯湯タンク１４内の蓄熱量が少ないときであっても、蓄熱を有効利用することができる。
【００７９】
本実施例では、貯湯タンク１４内の温水をバーナ７０に送り出し、バーナ７０で加熱された温水を貯湯タンク１４へ戻すためのバーナ循環経路７６を利用して、暖房循環経路１１２内の温水を加熱することができる。また、この暖房循環経路１１２から分岐した風呂の追焚き経路１２２を利用して、浴槽１２８と接続されている風呂循環経路１３０内の温水を加熱することができる。１つの循環経路（バーナ循環経路７６）を多様に活用することができるため、システムの構成を簡素化し、システムをコンパクト化することができる。
【００８０】
本実施例では、バーナ循環復路７６ｂを通る温水の戻り先を、熱交換器出口サーミスタ９０での検出温度に応じて切換えることができる。熱交換器出口サーミスタ９０での検出温度に応じて、温水の戻り先を貯湯タンク１４の上部としたり、貯湯タンク１４の下部としたり、貯湯タンク１４をバイパスしてバーナ循環往路７６ａとしたりすることができる。このように温水の戻り先を切換えることによって、貯湯タンク１４の内部に形成される温度成層状態を崩すことがない。
【００８１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００８２】
【図１】図１は本実施例のコージェネレーションシステムの系統図である。
【図２】図２は給湯運転中の温水の流れを説明するための図である。
【図３】図３は給湯運転の処理を示すフローチャートである。
【図４】図４は暖房運転中の温水の流れの一態様を説明するための図である。
【図５】図５は暖房運転中の温水の流れの他の一態様を説明するための図である。
【図６】図６は暖房運転中の温水の流れのさらに他の一態様を説明するための図である。
【図７】図７は暖房運転の処理を示すフローチャートである。
【図８】図８は暖房運転の処理を示すフローチャートの一部である。
【図９】図９は風呂の追焚き運転中の温水の流れの一態様を説明するための図である。
【図１０】図１０は風呂の追焚き運転中の温水の流れの他の一態様を説明するための図である。
【図１１】図１１は風呂の追焚き運転中の温水の流れのさらに他の一態様を説明するための図である。
【図１２】図１２は風呂の追焚き運転の処理を示すフローチャートである。
【図１３】図１３は風呂の追焚き運転の処理を示すフローチャートの一部である。
【図１４】図１４は風呂の湯張り運転中の温水の流れを説明するための図である。
【図１５】図１５は風呂の湯張り運転の処理を示すフローチャートである。
【符号の説明】
【００８３】
１０：給湯ユニット
１２：貯湯部
１４：貯湯タンク
１６：第１タンクサーミスタ
１８：第２タンクサーミスタ
２０：第３タンクサーミスタ
２２：第４タンクサーミスタ
２４：給水経路
２６：減圧弁
２８：給水サーミスタ
３０：給水量センサ
３２：給水量サーボ
３４：混合サーボ
３６：混合経路
３８：排水経路
４０：排水弁
４２：圧力開放経路
４４：給湯栓
４６：給湯経路
４８：圧力逃し弁
５０：温水電磁弁
５２：高温サーミスタ
５４：給湯サーミスタ
５６：熱回収循環経路、５６ａ：循環往路、５６ｂ：循環復路
５８：熱回収循環ポンプ
６０：循環往路サーミスタ
６２：循環復路サーミスタ
６４：三方弁、６４ａ：入口、６４ｂ：入口、６４ｃ：出口
６６：バイパス経路
６８：バーナ部
７０：バーナ
７２：潜熱熱交換器
７４：顕熱熱交換器
７６：バーナ循環経路、７６ａ：循環往路、７６ｂ：循環復路
７８：バイパス経路
８０：バーナ循環ポンプ
８２：バーナ循環流量センサ
８４：バーナ循環流量サーボ
８６：バーナバイパスサーボ
８８：バーナ出口サーミスタ
９０：熱交換器出口サーミスタ
９２：ドレン経路
９４：中和器
９８：オーバーフロー経路
１００：シスターン
１０２：シスターン給水経路
１０４：負圧弁
１０６：シスターン給水弁
１０８：熱負荷
１１０：暖房端末機
１１２：暖房循環経路、１１２ａ：循環往路、１１２ｂ：循環復路
１１４：暖房用熱交換器
１１６：暖房循環ポンプ
１１８：暖房循環サーミスタ
１２０：暖房熱動弁
１２２：追焚き経路
１２４：風呂用熱交換器
１２６：追焚き熱動弁
１２８：浴槽
１３０：風呂循環経路、１３０ａ：循環往路、１３０ｂ：循環復路
１３２：風呂水位センサ
１３４：風呂循環ポンプ
１３６：風呂水流スイッチ
１３８：風呂循環サーミスタ
１４０：湯張り経路
１４２：湯張り量センサ
１４４：注湯電磁弁
１４６：コントローラ
１４８：リモコン
１５０：発電ユニット
１５２：熱媒循環経路
１５４：熱回収用熱交換器
１６０：第１制御弁
１６２：第２制御弁
１６４：第３制御弁
【図１】
0004820213.tif 000002
【図２】
0004820213.tif 000003
【図３】
0004820213.tif 000004
【図４】
0004820213.tif 000005
【図５】
0004820213.tif 000006
【図６】
0004820213.tif 000007
【図７】
0004820213.tif 000008
【図８】
0004820213.tif 000009
【図９】
0004820213.tif 000010
【図１０】
0004820213.tif 000011
【図１１】
0004820213.tif 000012
【図１２】
0004820213.tif 000013
【図１３】
0004820213.tif 000014
【図１４】
0004820213.tif 000015
【図１５】
0004820213.tif 000016